(57)【特許請求の範囲】
【請求項１】
車両に搭載された緊急通報システム端末機器に緊急通報連絡手段を接続し、この緊急通報連絡手段を通じてセンターへ緊急通報を行う緊急通報システムにおいて、前記緊急通報連絡手段が、前記車両に搭載された緊急通報システム端末機器に接続されているか否かを検出し、接続されていない場合にその車両の発進を禁止する手段、及び前記緊急通報連絡手段が接続されていない旨をユーザに伝達する手段を備えたことを特徴とする緊急通報システム。
【請求項２】
前記緊急通報連絡手段が、車両に搭載された電子機器を介して緊急通報システム端末機器に接続されていることを特徴とする請求項１記載の緊急通報システム。
【請求項３】
前記緊急通報連絡手段が有する外部インターフェースから、正常に動作を行うことを示す信号が受信されない場合、車両始動システムの動作を禁止することを特徴とする請求項１または請求項２記載の緊急通報システム。
【請求項４】
前記緊急通報連絡手段に携帯電話を用いることを特徴とする請求項１または請求項２記載の緊急通報システム。
【請求項５】
携帯電話が有する外部インターフェースの制御用シリアル信号を用いて、正常に動作を行うことを示す信号が受信されない場合、車両始動システムの動作を禁止することを特徴とする請求項４記載の緊急通報システム。
【請求項６】
携帯電話が有する外部インターフェースのＴＣＨ信号と呼ばれるディジタル通信信号を用いて、正常に動作を行うことを示す信号が受信されない場合、車両始動装置の動作を禁止することを特徴とする請求項４記載の緊急通報システム。
【請求項７】
携帯電話が有する外部インターフェースの携帯電話に接続されるユニットの電源制御を行うユニット電源制御信号を用いて、正常に動作を行うことを示す信号が受信されない場合、車両始動システムの動作を禁止することを特徴とする請求項４記載の緊急通報システム。
【請求項８】
携帯電話が有する電話番号の照合を行うことにより、正常な電話番号が受信されない場合、車両始動システムの動作を禁止することを特徴とする請求項４記載の緊急通報システム。
【請求項９】
携帯電話が有する機能である暗証番号登録機能を用いて暗証番号の照合を行うことにより、正常な暗証番号が照合されない場合、車両始動システムの動作を禁止することを特徴とする請求項４記載の緊急通報システム。
【請求項１０】
前記緊急通報連絡手段にパーソナルハンディーホンシステム端末電話機を用いることを特徴とする請求項１または請求項２記載の緊急通報システム。
【請求項１１】
前記緊急通報連絡手段にＭＣＡ無線機を用いることを特徴とする請求項１または請求項２記載の緊急通報システム。
【請求項１２】
前記緊急通報連絡手段にパーソナル無線機を用いることを特徴とする請求項１または請求項２記載の緊急通報システム。
【請求項１３】
前記緊急通報連絡手段にアマチュア無線機を用いることを特徴とする請求項１または請求項２記載の緊急通報システム。
【請求項１４】
イグニションスイッチにエンジンを始動させるための鍵が挿入された場合でも、鍵がエンジン始動方向に回転できないようにして車両始動システムの動作を禁止することを特徴とする請求項１から請求項１３のいずれかに記載の緊急通報システム。
【請求項１５】
イグニションスイッチにエンジンを始動させるための鍵が挿入できないようにして車両始動システムの動作を禁止することを特徴とする請求項１から請求項１３のいずれかに記載の緊急通報システム。
【請求項１６】
オートマチックトランスミッションを採用する車両の場合、パーキングギアからのシフトができないようにして車両始動システムの動作を禁止することを特徴とする請求項１から請求項１３のいずれかに記載の緊急通報システム。
【請求項１７】
マニュアルトランスミッションを採用する車両の場合、ニュートラルギアの状態からのシフトができないようにして車両始動システムの動作を禁止することを特徴とする請求項１から請求項１３のいずれかに記載の緊急通報システム。
【請求項１８】
パーキングブレーキの解除ができないようにして車両始動システムの動作を禁止することを特徴とする請求項１から請求項１３のいずれかに記載の緊急通報システム。
【発明の詳細な説明】
【０００１】
【発明の属する技術分野】
本発明は、車両に搭載された緊急通報システム端末機器に緊急通報連絡手段を接続し、この緊急通報連絡手段を通じて警察、緊急通報センターなどへ緊急通報を行う緊急通報システムに関する。
【０００２】
【従来の技術】
従来から、車両搭乗中に交通事故や急病などの緊急事態が発生した場合、車両に搭載された携帯電話などの緊急通報連絡手段を通じて、警察や緊急通報センターなどの緊急通報システムを管轄するセンターに、現在の車両位置情報や登録車両番号などのデータを送信する緊急通報システムが知られている。
【０００３】
【発明が解決しようとする課題】
しかしながら、従来の緊急通報システムは、緊急通報連絡手段として携帯電話などを専用の無線機として用い、確実な緊急通信動作を確保するために取り外しができない構造になっていた。このため、携帯電話として、通常の電話機能を持ちながら、これを一般の携帯電話と同様に車両外に持ち出して使用することができず、そのような使用をするためには、さらに別の携帯電話を持たなければならないという問題があった。
【０００４】
本発明は、このような従来の技術における課題を解決するものであり、緊急通報連絡手段を緊急通報システム端末機器から取り外して一般の携帯電話と同様に車外で使用することのできる緊急通報システムを提供することを目的とする。
【０００５】
【課題を解決するための手段】
上記課題を解決するために、本発明の緊急通報システムは、車両の始動システムに、緊急通報連絡手段が緊急通報システム端末機器に接続されていること、または確実に動作することを動作条件として加え、緊急通報連絡手段が正常に接続または動作していなければ車両が発進できないようにして、緊急通報システムとしての機能を保証し、緊急時における緊急通報を確実に行えるようにしたものである。これにより、緊急通報連絡手段を緊急通報システム端末機器から外しても、再び緊急通報システム端末機器に装着しなければ車両を発進させることができないので、緊急通報システムとしての機能を保証することができる。
【０００６】
【発明の実施の形態】
本発明の請求項１に記載の発明は、車両に搭載された緊急通報システム端末機器に緊急通報連絡手段を接続し、この緊急通報連絡手段を通じてセンターへ緊急通報を行う緊急通報システムにおいて、前記緊急通報連絡手段が、前記車両に搭載された緊急通報システム端末機器に接続されているか否かを検出し、接続されていない場合にその車両の発進を禁止する手段、及び前記緊急通報連絡手段が接続されていない旨をユーザに伝達する手段を備えたことを特徴とする緊急通報システムである。前記緊急通報システム端末機器に前記緊急通報連絡手段が接続されているか否かを確認するステータスにより、前記車両始動システムに動作を制約するプロテクト条件を付加し、前記緊急通報システムに、前記緊急通報連絡手段が接続されていることを知らせるステータスを入力することによって、エンジン始動などの車両動作への移行を可能にする車両始動機能を有し、緊急通報システムなどに使用する無線通信などを用いた緊急通報連絡手段の正常に接続または正常に動作することを確認し、車両の発進を可能とすることによって、車両走行時の緊急通報連絡手段を確実に確保する。
また、無線通信などの緊急通報連絡手段が、車両に搭載されている緊急通報システム端末機器に接続されていない場合、前記接続されていない旨を示すステータスをブザー、ＬＥＤなどのユーザに情報を伝達する情報伝達手段に出力する。前記情報伝達手段は、前記ステータスに基づいて、鳴音、照明、表示などにより前記接続されていない旨をユーザに伝達することにより、車両走行時の緊急通報連絡手段を確実に確保する。
【０００７】
本発明の請求項２に記載の発明は、緊急通報連絡手段が、車両に搭載された電子機器を介して緊急通報システム端末機器に接続されていることを特徴とする請求項１記載の緊急通報システムである。前記緊急通報連絡手段が前記車両に接続されたことを確認するステータスにより、前記車両始動システムに動作を制約するプロテクト条件を付加し、緊急通報システム端末機器に、前記緊急通報連絡手段が前記車両に接続されていることを知らせるステータスを出力することによって、前記緊急通報システム端末機器は、車両始動システムを制御するステータスを出力する。さらに、エンジン始動などの車両動作への移行を可能にする車両始動システムは、前記緊急通報システムからのステータスにより、無線通信などを用いた緊急通報連絡手段が正常に接続または正常に動作をしているかを確認し、車両の発進を可能とすることによって、車両走行時の緊急通報連絡手段を確実に確保する。
【０００８】
本発明の請求項３に記載の発明は、緊急通報連絡手段が有する外部インターフェースから、正常に動作を行うことを示す信号が受信されない場合、車両始動システムの動作を禁止することを特徴とする請求項１または請求項２記載の緊急通報システムである。無線機などの緊急通報連絡手段が有する外部インターフェース信号により、車両または緊急通報システム端末機器などの前記緊急通報連絡手段が接続する外部インターフェースを有するシステムに、前記緊急通報連絡手段２が接続されていることを記すステータスを出力する。前記緊急通報連絡手段が接続する外部インターフェースを有するシステムは、前記ステータスにより車両の始動または進行の制御を行うことにより、車両走行時の連絡手段を確実に確保する。
【０００９】
本発明の請求項４に記載の発明は、緊急通報連絡手段に携帯電話を用いることを特徴とする請求項１または請求項２記載の緊急通報システムである。緊急通報連絡手段に携帯電話を用い、前記携帯電話が有する外部インターフェースを用いて、前記携帯電話より前記緊急通報連絡手段が接続されていることを記すステータスを入力する。車両または緊急通報システム端末機器などの前記携帯電話が接続する外部インターフェースを有するシステムは、前記ステータスにより車両の始動、もしくは進行の制御を行うことにより、車両走行時の緊急通報連絡手段を確実に確保する。
【００１０】
本発明の請求項５に記載の発明は、携帯電話が有する外部インターフェースの制御用シリアル信号を用いて、正常に動作を行うことを示す信号が受信されない場合、車両始動システムの動作を禁止することを特徴とする請求項４記載の緊急通報システムである。緊急通報連絡手段に携帯電話を用い、前記携帯電話が有する外部インターフェース信号の制御用の非同期シリアル信号を用いて、前記携帯電話より前記緊急通報連絡手段が接続されていることを記すステータスを入力する。車両または緊急通報システム端末機器などの前記携帯電話が接続する外部インターフェースを有するシステムは、前記シリアル信号から出力されるステータスにより車両の始動または進行の制御を行うことにより、車両走行時の連絡手段を確実に確保する。
【００１１】
本発明の請求項６に記載の発明は、携帯電話が有する外部インターフェースのＴＣＨ信号と呼ばれるディジタル通信信号を用いて、正常に動作を行うことを示す信号が受信されない場合、車両始動装置の動作を禁止することを特徴とする請求項４記載の緊急通報システムである。緊急通報連絡手段に携帯電話を用い、前記携帯電話が有する外部インターフェース信号のデータ通信用の同期シリアル信号（ＴＣＨ信号）を用いて、前記携帯電話より前記緊急通報連絡手段２が接続されていることを記すステータスを入力する。車両または緊急通報システム端末機器などの前記携帯電話が接続する外部インターフェースを有するシステムは、前記ＴＣＨ信号から出力されるステータスにより車両の始動または進行の制御を行うことにより、車両走行時の連絡手段を確実に確保する。
【００１２】
本発明の請求項７に記載の発明は、携帯電話が有する外部インターフェースの携帯電話に接続されるユニットの電源制御を行うユニット電源制御信号を用いて、正常に動作を行うことを示す信号が受信されない場合、車両始動システムの動作を禁止することを特徴とする請求項４記載の緊急通報システムである。緊急通報連絡手段に携帯電話を用い、前記携帯電話が有する外部インターフェース信号の携帯電話に接続されるユニットの電源制御を行うユニット電源制御信号を用いて、前記携帯電話より前記緊急通報連絡手段が接続されていることを記すステータスを入力する。車両または緊急通報システム端末機器などの前記携帯電話が接続する外部インターフェースを有するシステムは、前記ユニット電源制御信号から出力されるステータスにより車両の始動または進行の制御を行うことにより、車両走行時の緊急通報連絡手段を確実に確保する。
【００１３】
本発明の請求項８に記載の発明は、携帯電話が有する電話番号の照合を行うことにより、正常な電話番号が受信されない場合、車両始動システムの動作を禁止することを特徴とする請求項４記載の緊急通報システムである。前記携帯電話が有する電話番号と、車両または緊急通報システム端末機器などの前記携帯電話が接続する外部インターフェースを有するシステムに登録されている電話番号を用いて照合を行い、前記照合の結果より車両の始動または進行の制御を行うことにより、車両走行時の緊急通報連絡手段を確実に確保する。
【００１４】
本発明の請求項９に記載の発明は、携帯電話が有する機能である暗証番号登録機能を用いて暗証番号の照合を行うことにより、正常な暗証番号が照合されない場合、車両始動システムの動作を禁止することを特徴とする請求項４記載の緊急通報システムである。前記携帯電話機能として有する暗証番号と、車両または緊急通報システム端末機器などの前記携帯電話が接続する外部インターフェースを有するシステムに登録されている暗証番号を用いて照合を行い、前記照合の結果より車両の始動または進行の制御を行うことにより、車両走行時の緊急通報連絡手段を確実に確保する。
【００１５】
本発明の請求項１０に記載の発明は、緊急通報連絡手段にパーソナルハンディーホンシステム端末電話機を用いることを特徴とする請求項１または請求項２記載の緊急通報システムである。緊急通報連絡手段にパーソナルハンディーホンシステム端末電話機を用い、前記パーソナルハンディーホンシステム端末電話機が有する外部インターフェースを用いて、前記パーソナルハンディーホンシステム端末電話機より前記連絡手段が接続されていることを記すステータスを入力する。車両または緊急通報システム端末機器などの前記パーソナルハンディーホンシステム端末電話機が接続する外部インターフェースを有するシステムは、前記ステータスにより車両の始動または進行の制御を行うことにより、車両走行時の緊急通報連絡手段を確実に確保する。
【００１６】
本発明の請求項１１に記載の発明は、緊急通報連絡手段にＭＣＡ無線機を用いることを特徴とする請求項１または請求項２記載の緊急通報システムである。緊急通報連絡手段にＭＣＡ無線機を用い、前記ＭＣＡ無線機が有する外部インターフェースを用いて、前記ＭＣＡ無線機より前記緊急通報連絡手段が接続されていることを記すステータスを入力する。車両または緊急通報システム端末機器などの前記ＭＣＡ無線機が接続する外部インターフェースを有するシステムは、前記ステータスにより車両の始動または進行の制御を行うことにより、車両走行時の緊急通報連絡手段を確実に確保する。
【００１７】
本発明の請求項１２に記載の発明は、緊急通報連絡手段にパーソナル無線機を用いることを特徴とする請求項１または請求項２記載の緊急通報システムである。緊急通報連絡手段にパーソナル無線機を用い、前記パーソナル無線機が有する外部インターフェースを用いて、前記パーソナル無線機より前記緊急通報連絡手段が接続されていることを記すステータスを入力する。車両または緊急通報システム端末機器などの前記パーソナル無線機が接続する外部インターフェースを有するシステムは、前記ステータスにより車両の始動または進行の制御を行うことにより、車両走行時の緊急通報連絡手段を確実に確保する。
【００１８】
本発明の請求項１３に記載の発明は、緊急通報連絡手段にアマチュア無線機を用いることを特徴とする請求項１または請求項２記載の緊急通報システムである。緊急通報連絡手段にアマチュア無線機を用い、前記アマチュア無線機が有する外部インターフェースを用いて、前記アマチュア無線機より前記緊急通報連絡手段２が接続されていることを記すステータスを入力する。車両または緊急通報システム端末機器などの前記アマチュア無線機が接続する外部インターフェースを有するシステムは、前記ステータスにより車両の始動または進行の制御を行うことにより、車両走行時の緊急通報連絡手段を確実に確保する。
【００１９】
本発明の請求項１４に記載の発明は、イグニションスイッチにエンジンを始動させるための鍵が挿入された場合でも、鍵がエンジン始動方向に回転できないようにして車両始動システムの動作を禁止することを特徴とする請求項１から請求項１３のいずれかに記載の緊急通報システムである。エンジンを始動させるための鍵の受け側に、緊急通報連絡手段が接続されていることを記すステータスによって鍵を回すことを可能とする解除条件を制約する機構を備え、緊急通報連絡手段が接続されていることを記すステータスを入力することによって前記鍵の受け側の制約を解除することにより、車両走行時の緊急通報連絡手段を確実に確保する。
【００２０】
本発明の請求項１５に記載の発明は、イグニションスイッチにエンジンを始動させるための鍵が挿入できないようにして車両始動システムの動作を禁止することを特徴とする請求項１から請求項１３のいずれかに記載の緊急通報システムである。エンジンを始動させるための鍵の受け側に、緊急通報連絡手段が接続されていることを記すステータスによって鍵を挿入することを可能とする解除条件を制約する機構を備え、緊急通報連絡手段が接続されていることを記すステータスを入力することによって前記鍵の受け側の制約を解除することにより、車両走行時の緊急通報連絡手段を確実に確保する。
【００２１】
本発明の請求項１６に記載の発明は、オートマチックトランスミッションを採用する車両の場合、パーキングギアからのシフトができないようにして車両始動システムの動作を禁止することを特徴とする請求項１から請求項１３のいずれかに記載の緊急通報システムである。オートマチックトランスミッションに、緊急通報連絡手段が接続されていることを記すステータスによってパーキングギアからの解除を可能とする解除条件を制約する機構を備え、緊急通報連絡手段が接続されていることを記すステータスを入力することによって前記オートマチックトランスミッションのパーキングギアからの移行における制約を解除することにより、車両走行時の緊急通報連絡手段を確実に確保する。
【００２２】
本発明の請求項１７に記載の発明は、マニュアルトランスミッションを採用する車両の場合、ニュートラルギアの状態からのシフトができないようにして車両始動システムの動作を禁止することを特徴とする請求項１から請求項１３のいずれかに記載の緊急通報システムである。マニュアルトランスミッションに、緊急通報連絡手段が接続されていることを記すステータスによってニュートラルギアからの移行を可能とする解除条件を制約する機構を備え、緊急通報連絡手段が接続されていることを記すステータスを入力することによって前記マニュアルトランスミッションのニュートラルギアからの移行における制約を解除することにより、車両走行時の緊急通報連絡手段を確実に確保する。
【００２３】
本発明の請求項１８に記載の発明は、パーキングブレーキの解除ができないようにして車両始動システムの動作を禁止することを特徴とする請求項１から請求項１３のいずれかに記載の緊急通報システムである。パーキングブレーキに、緊急通報連絡手段が接続されていることを記すステータスによってブレーキの解除を可能とする解除条件を制約する機構を備え、緊急通報連絡手段が接続されていることを記すステータスを入力することによって前記パーキングブレーキのブレーキを解除することにより、車両走行時の緊急通報連絡手段を確実に確保する。
【００２４】
次に、本発明の緊急通報システムの実施の形態を図面を参照して詳細に説明する。
（実施の形態１）
図１は本発明の緊急通報システムの第１の実施の形態の構成を示すブロック図である。この第１の実施の形態は、例えば、自動車事故、急病などの場合において警察または消防の車両要請を行うために用いられるものであり、交通事故などの緊急通報を発進する条件が発生した場合、無線通信などの連絡手段２を用いて、緊急通報システムを管轄するセンターに電話発信処理を開始すると共に、車両の進行方向、向きなどの情報、及び位置情報などのデータを、通話相手である前記緊急通報システムを管轄するセンターに発信する機能を有する緊急通報システム端末機器１と、前記緊急通報システム端末機器１からの通信発信要求が発生した場合、通信事業者の基地局などを経由して緊急通報システムを管轄するセンターの電話番号に電話発信処理を開始すると共に、前記通話相手からの発信応答または通話中信号などの通話中に移行する信号を受信した場合、通話状態に移行したと認識し、音声通話制御またはデータ通信制御に移行すると共に、前記車両の進行方向、向きなどの情報、及び位置情報などのデータを、通信事業者の基地局などを経由して前記電話番号に該当する通話相手である前記緊急通報システムを管轄するセンターに発信する機能を有する携帯電話などの緊急通報連絡手段２と、前記緊急通報連絡手段２からの発信信号を通信事業者の基地局に発信する処理を行うと共に、前記通信事業者からの受信信号を緊急通報連絡手段２に出力する処理を行う通信アンテナ３と、特定の車両のみを始動するための鍵を用いて車両のエンジンの始動を行うエンジン始動システム、車両を始動させるためのギア、クラッチなどの車両を始動する制御を行う車両動作システムなどの車両の進行動作制御を行う車両始動システム４とを備えている。
【００２５】
緊急通報システム端末機器１において、１１は緊急通報発信釦であり、ユーザが、交通事故、急病などの緊急時に押下し、発信処理を開始するための操作信号を生成する。１２はシステム端末機器１の全体を制御する制御部、１３は車両の進行方位を検出するジャイロセンサ、１４はジャイロセンサ１３からの信号により位置情報を生成する位置情報取得処理部、１５は種々のデータを記憶する記憶部、１６は衛星からのデータを受信するＧＰＳアンテナ、１７はＧＰＳアンテナ１６で受信したデータから車両の現在位置を検出するＧＰＳ受信機である。
【００２６】
制御部１２は、前記緊急通報発信釦１１からの操作信号により緊急通報要求があったことを認識し、緊急通報処理を開始するために、位置情報取得処理部１４に現在の位置情報を要求する信号を出力すると共に、前記位置情報取得処理部１４より、車両の進行方向、向きなどの情報、及び位置情報などのデータを入力し、さらに、記憶部１５から、警察、緊急通報センターなど前記緊急通報システムを管轄するセンターの電話番号を取得すると共に、前記電話番号を用いて緊急通報連絡手段２に電話の発信要求を行い、さらに、緊急通報連絡手段２から、前記電話番号に該当する通話相手からの発信応答、もしくは通話中信号などの通話中に移行する信号を受信した場合、通話状態に移行したと認識し、前記位置情報取得処理部１４から入手した前記車両の進行方向、向きなどの情報、及び前記位置情報などのデータを、通信事業者の基地局などを経由して前記電話番号に該当する通話相手である警察、緊急通報センターなど前記緊急通報システムを管轄するセンターに発信するための信号を緊急通報連絡手段２に出力し、前記緊急通報システム端末機器１に前記緊急通報連絡手段２が接続されているか否かを示すステータスを出力する処理を行う。
【００２７】
ジャイロセンサ１３は、車両の進行方向、向きなどの情報を生成し、位置情報取得処理部１４に、車両の進行方向、向きなどの情報を出力し、位置情報取得処理部１４は、前記制御部１２からの位置情報要求信号に対し、車両の進行方向、向きなどの情報を生成するジャイロセンサ１３からのデータを入力すると共に、ＧＰＳ受信機１７がＧＰＳアンテナ１６から受信したデータより生成した位置情報などのデータを入力し、さらに、前記ジャイロセンサ１３から入力した車両の進行方向、向きなどのデータと、前記ＧＰＳ受信機１７から入力した位置情報などのデータを、制御部１２に出力する処理を行う。
【００２８】
記憶部１５は、警察、緊急通報センターなど前記緊急通報システムを管轄するセンターの電話番号、及び前記緊急通報システム端末機器１を搭載する車両の登録ナンバー、及び登録者などの情報を格納すると共に、前記制御部１２からの要求信号により、該当する、警察、緊急通報センターなど前記緊急通報システムを管轄するセンターの電話番号、及び前記緊急通報システム端末機器１を搭載する車両の登録ナンバー、及び登録者などの情報を出力する処理を行う。
【００２９】
緊急通報連絡手段２は、前記制御部１２からの発信要求信号に対し、前記制御部１２から入力した電話番号により、通信事業者の基地局などを経由して前記電話番号に該当する通話相手に電話発信処理を開始すると共に、前記通話相手からの発信応答または通話中信号などの通話中に移行する信号を受信した場合、通話状態に移行したと認識し、音声通話制御またはデータ通信制御に移行すると共に、通話中に移行した事を知らせる信号を制御部１２に出力し、さらに、制御部１２から入力した、前記車両の進行方向、向きなどの情報、及び前記位置情報などのデータを、通信事業者の基地局などを経由して前記電話番号に該当する通話相手である警察、緊急通報センターなど前記緊急通報システムを管轄するセンターに通信アンテナ３を介して発信する処理を行う。
【００３０】
車両始動装置４は、前記制御部１２より、前記緊急通報システム端末機器１に前記緊急通報連絡手段２が接続されていることを示すステータスを受信し、前記ステータスより前記緊急通報連絡手段２が接続されている場合、エンジン始動などの車両を始動させることが可能になると共に、前記車両の動作の制御を行うステータスより前記緊急通報連絡手段２が接続されていない場合、エンジン始動などの車両を始動させる事を不可能とするプロテクト機構を有する。
【００３１】
次に、この第１実施の形態の動作について説明する。図１において、ユーザが、交通事故、急病などの緊急時に、緊急通報発信釦１１を押下する。前記緊急通報発信釦１１は、ユーザの押下操作により、押下された事を記す操作信号を緊急通報システム端末機器１の内部に有する制御部１２に出力する。制御部１２は、前記緊急通報発信釦１１からの操作信号により緊急通報要求があった事を認識し、緊急通報処理を開始し、位置情報取得処理部１４に現在の位置情報を要求する信号を出力する。
【００３２】
位置情報取得処理部１４は、前記制御部１２からの位置情報要求信号に対し、車両の進行方向、向きなどの情報を生成するジャイロセンサ１３からのデータを入力すると共に、ＧＰＳ受信機１７がＧＰＳアンテナ１６から受信したデータより生成した位置情報などのデータを入力する。また位置情報取得処理部１４は、前記ジャイロセンサ１３から入力した車両の進行方向、向きなどのデータと、前記ＧＰＳ受信機１７から入力した位置情報などのデータを、前記制御部１２に出力する。
【００３３】
前記制御部１２は、記憶部１５から、警察、緊急通報センターなどの前記緊急通報システムを管轄するセンターの電話番号を取得すると共に、前記電話番号を用いて緊急通報連絡手段２に電話の発信要求を行う。前記緊急通報連絡手段２は、通信アンテナ３を用いて、通信事業者の基地局などを経由して前記電話番号に該当する通話相手に電話発信処理を開始する。また緊急通報連絡手段２は、前記通話相手からの発信応答または通話中信号などの通話中に移行する信号を受信した場合、通話状態に移行したと認識し、音声通話制御またはデータ通信制御に移行すると共に、通話中に移行した事を知らせる信号を、制御部１２に出力する。
【００３４】
制御部１２は、通話に成功したと判断し、前記位置情報取得処理部１４から入手した前記車両の進行方向、向きなどの情報、及び前記位置情報などのデータを、通信事業者の基地局などを経由して前記電話番号に該当する通話相手である警察、緊急通報センターなど前記緊急通報システムを管轄するセンターに発信する処理を行う。
【００３５】
車両始動装置４は、前記制御部１２より、前記緊急通報システム端末機器１に前記緊急通報連絡手段２が接続されている事を示すステータスを受信し、前記ステータスより、前記緊急通報連絡手段２が接続されていない場合、エンジン始動などの車両を始動させることを不可能とするプロテクトをかける事によって、エンジン始動などの車両を始動させる事を不可能とすると共に、前記ステータスより、前記緊急通報連絡手段２が接続されている場合、エンジン始動などの車両を始動させることを不可能とするプロテクトを解除する事によって、エンジン始動などの車両を始動させる事を可能とする。
【００３６】
（実施の形態２）
図２は本発明の第２の実施の形態における緊急通報システムの構成を示すブロック図である。図２において、緊急通報システムは、緊急通報システム端末機器１と、車両５に接続された携帯電話などの緊急通報連絡手段２と、通信アンテナ３と、車両始動装置４と、自動車などの移動を目的とした手段に用いられる車両５とを備えており、緊急通報システムなどに使用する無線通信などを用いた緊急通報連絡手段２の正常動作を確認し、車両の発進を可能とすることによって、車両走行時の緊急通報連絡手段２を確実に確保する。
【００３７】
車両始動装置４は、車両５を介して前記緊急通報連絡手段２が接続されている事を示すステータスを受信し、前記ステータスより、前記緊急通報連絡手段２が接続されていない場合、エンジン始動などの車両を始動させることを不可能とするプロテクトをかける事によって、エンジン始動などの車両を始動させる事を不可能とすると共に、前記ステータスより、前記緊急通報連絡手段２が接続されている場合、エンジン始動などの車両を始動させることを不可能とするプロテクトを解除する事によって、エンジン始動などの車両を始動させる事を可能とする。
【００３８】
（実施の形態３）
第３の実施の形態における本発明の緊急通報システムは、図１を用いて説明する。図１において、携帯電話などの緊急通報連絡手段２に外部インターフェースを有し、また緊急通報システム端末機器１などの前記緊急通報連絡手段２が接続する外部インターフェースを有する装置は、前記緊急通報連絡手段２が有する外部インターフェースに接続し、かつ同一のインターフェース信号によって通信を行う事により、前記インターフェース信号などを用いて正常に接続している事を確認する事が可能になる。
【００３９】
前記インターフェース信号を用いて接続されている事を示すステータスより、前記緊急通報連絡手段２が接続されていることを確認できる場合、エンジン始動などの車両を始動させることを不可能とするプロテクトを解除する事によって、エンジン始動などの車両を始動させる事を可能とする。第３の実施の形態を実現する例として携帯電話を用いた場合、１６芯インターフェース信号を用いて接続されている事を確認する事が可能になる。
【００４０】
（実施の形態４）
第４の実施の形態における本発明の緊急通報システムは、緊急通報連絡手段２を構成する携帯電話の外部インターフェースを用いて実現する。携帯電話は、１６芯インターフェースと呼ばれるフォーマットにより信号の入出力を行う外部インターフェースを有する。緊急通報システム端末機器１などの前記緊急通報連絡手段２が接続する外部インターフェースを有する装置は、前記１６芯インターフェースと同一のインターフェースを有する事によって、前記インターフェースの有する信号などを用いて正常に接続している事を確認する事が可能になる。
【００４１】
（実施の形態５）
第５の実施の形態における本発明の緊急通報システムは、緊急通報連絡手段２を構成する携帯電話の外部インターフェース信号である６００ｂｐｓの通信速度で通信信号の送受を実現するシリアル制御信号を用いて実現する。携帯電話は、１６芯インターフェースにシリアル制御信号と呼ばれる送受信信号を有し、前記緊急通報連絡手段２に接続する機器との信号の入出力を行う。緊急通報システム端末機器１などの前記緊急通報連絡手段２が接続する外部インターフェースを有する装置は、前記１６芯インターフェースと同一のインターフェースを有し、前記インターフェースのシリアル制御信号を用いる事によって、接続されている旨を伝達する内容の信号などにより正常に接続している事を確認する事が可能になる。
【００４２】
（実施の形態６）
第６の実施の形態における本発明の緊急通報システムは、緊急通報連絡手段２を構成する携帯電話の外部インターフェース信号である９６００ｂｐｓ以上の通信速度で通信信号の送受を実現するＴＣＨ信号を用いて実現する。携帯電話は、１６芯インターフェースにＴＣＨ信号と呼ばれる送受信信号を有し、前記緊急通報連絡手段２の接続する機器との信号の入出力を行う。緊急通報システム端末機器１などの前記緊急通報連絡手段２が接続する外部インターフェースを有する装置は、前記１６芯インターフェースと同一のインターフェースを有し、前記インターフェースのＴＣＨ信号を用いる事によって、接続されている旨を伝達する内容の信号などにより正常に接続している事を確認する事が可能になる。
【００４３】
（実施の形態７）
第７の実施の形態における本発明の緊急通報システムは、緊急通報連絡手段２を構成する携帯電話の外部インターフェース信号である携帯電話に接続する外部ユニットの電源の制御などを制御するユニット電源制御信号を用いて実現する。携帯電話は、１６芯インターフェースにユニット電源信号と呼ばれる送受信信号を有し、前記緊急通報連絡手段２に接続する機器との信号の入出力を行う。緊急通報システム端末機器１などの前記緊急通報連絡手段２が接続する外部インターフェースを有する装置は、前記１６芯インターフェースと同一のインターフェースを有し、前記インターフェースのユニット電源制御信号を用いる事によって、接続されている旨を伝達する内容の信号などにより正常に接続している事を確認する事が可能になる。
【００４４】
（実施の形態８）
第８の実施の形態における本発明の緊急通報システムの実施の形態は、緊急通報連絡手段２を構成する携帯電話が有する電話番号データを用いて実現する。携帯電話は、各々決められた電話番号を有し、かつ緊急通報システム端末機器１などの前記緊急通報連絡手段２に接続する機器に、電話番号と同一の番号の登録を行う。前記緊急通報連絡手段２は、前記緊急通報連絡手段２に接続する機器に接続された場合などに、前記電話番号を緊急通報システム端末機器１などの前記外部に接続する機器に出力する。前記緊急通報システム端末機器１などの前記外部に接続する機器は、前記緊急通報連絡手段２から送られてきた電話番号データと、前記緊急通報システム端末機器１などの前記外部に接続する機器が有する電話番号との照合を行い、一致した場合、正常に接続している事を確認する事が可能になる。
【００４５】
（実施の形態９）
第９の実施の形態における本発明の緊急通報システムは、緊急通報連絡手段２を構成する携帯電話が有する暗証番号データを用いて実現する。携帯電話は、ユーザが登録可能な暗証番号データを有し、かつ緊急通報システム端末機器１などの前記緊急通報連絡手段２に接続する機器に、前記暗証番号と同一の番号の登録を行う。前記緊急通報連絡手段２は、前記緊急通報連絡手段２に接続する機器に接続された場合などに、前記暗証番号を緊急通報システム端末機器１などの前記外部に接続する機器に出力する。前記緊急通報システム端末機器１などの前記外部に接続する機器は、前記緊急通報連絡手段２から送られてきた暗証番号データと、前記緊急通報システム端末機器１などの前記外部に接続する機器が有する暗証番号との照合を行い、一致した場合、正常に接続している事を確認する事が可能になる。
【００４６】
（実施の形態１０）
第１０の実施の形態における本発明の緊急通報システムは、緊急通報連絡手段２を構成するパーソナルハンディーホンシステム端末電話機（ＰＨＳという）の外部インターフェースを用いて実現する。前記ＰＨＳは、メンテナンスなどに用いるための信号の入出力を行う外部インターフェースを有する。緊急通報システム端末機器１などの前記緊急通報連絡手段２が接続する外部インターフェースを有する装置は、前記ＰＨＳが有するインターフェースと同一のインターフェースを有する事によって、前記インターフェースの有する信号などを用いて正常に接続している事を確認する事が可能になる。
【００４７】
（実施の形態１１）
第１１の実施の形態における本発明の緊急通報システムの実施の形態は、緊急通報連絡手段２を構成するＭＣＡ無線機の外部インターフェースを用いて実現する。ＭＣＡ無線機には、メンテナンスなどに用いるための信号の入出力を行う外部インターフェースを設ける。緊急通報システム端末機器１などの前記緊急通報連絡手段２が接続する外部インターフェースを有する装置は、前記ＭＣＡ無線機が有するインターフェースと同一のインターフェースを有する事によって、前記インターフェースの有する信号などを用いて正常に接続している事を確認する事が可能になる。
【００４８】
（実施の形態１２）
第１２の実施の形態における本発明の緊急通報システムの実施の形態は、緊急通報連絡手段２を構成するパーソナル無線機の外部インターフェースを用いて実現する。パーソナル無線機には、メンテナンスなどに用いるための信号の入出力を行う外部インターフェースを設ける。緊急通報システム端末機器１などの前記緊急通報連絡手段２が接続する外部インターフェースを有する装置は、前記パーソナル無線機が有するインターフェースと同一のインターフェースを有する事によって、前記インターフェースの有する信号などを用いて正常に接続している事を確認する事が可能になる。
【００４９】
（実施の形態１３）
第１３の実施の形態における本発明の緊急通報システムの実施の形態は、緊急通報連絡手段２を構成するアマチュア無線機の外部インターフェースを用いて実現する。アマチュア無線機には、メンテナンスなどに用いるための信号の入出力を行う外部インターフェースを設ける。緊急通報システム端末機器１などの前記緊急通報連絡手段２が接続する外部インターフェースを有する装置は、前記アマチュア無線機が有するインターフェースと同一のインターフェースを有する事によって、前記インターフェースの有する信号などを用いて正常に接続している事を確認する事が可能になる。
【００５０】
（実施の形態１４）
第１４の実施の形態における本発明の緊急通報システムの実施の形態は、前記車両始動装置４に付加するプロテクト条件を明確化したものである。図３は第１４の実施の形態における、本発明の緊急通報システムの実施の形態の構成を示す機構図である。図３において車両始動装置４は、ある特定の車両のみを動作する事が可能な鍵４１と鍵４１を識別する事を可能とする機構を有する鍵判別装置４２と、緊急通報連絡手段２が接続されていることを示すステータスを判別する事を可能とする機構を有するステータス判別装置４３を有する。
【００５１】
前記車両始動装置４に前記鍵４１が挿入された場合、前記鍵４１の判別を行い、一致していた場合、鍵４１を回す事を可能にするためロック機構を解除する。更に、前記車両始動装置４に前記緊急通報連絡手段２が接続されていることを示すステータスが入力した場合、前記ステータス判別装置４３は、電磁石などを用いて鍵４１を回す事を可能にするためロック機構を解除する。
【００５２】
（実施の形態１５）
第１５の実施の形態における本発明の緊急通報システムの実施の形態は、前記車両始動装置４に付加するプロテクト条件において、鍵４１の挿入を不可能にする。前記車両始動装置４に前記緊急通報連絡手段２が接続されていることを示すステータスが入力していない場合、鍵４１の送入口に蓋などにより鍵４１が挿入できない状態にする。また、前記車両始動装置４に前記緊急通報連絡手段２が接続されていることを示すステータスが入力した場合、電磁石などを用いて鍵４１の送入口の蓋を開けるなどの処理を行い、鍵４１が挿入できる状態にする。
【００５３】
（実施の形態１６）
第１６の実施の形態における本発明の緊急通報システムの実施の形態は、前記車両始動装置４に付加するプロテクト条件において、オートマチックトランスミッションギアを採用する車両の場合、パーキングギアからの移行を不可能にする。前記車両始動装置４に前記緊急通報連絡手段２が接続されていることを示すステータスが入力していない場合、前記パーキングギアからドライブなどの他のギアへの移行を阻止するロック機構を有し、パーキングギアからの移行を不可能にする事によって車両の始動を不可能にする。また、前記車両始動装置４に前記緊急通報連絡手段２が接続されていることを示すステータスが入力した場合、前記パーキングギアからドライブなどの他のギアへの移行を阻止するロック機構を、電磁石などを用いて前記パーキングギアからの移行を可能にする事により車両の始動を可能にする。
【００５４】
（実施の形態１７）
第１７の実施の形態における本発明の緊急通報システムの実施の形態は、前記車両始動装置４に付加するプロテクト条件において、マニュアルトランスミッションギアを採用する車両の場合、ニュートラルギアからの移行を不可能にする。前記車両始動装置４に前記緊急通報連絡手段２が接続されていることを示すステータスが入力していない場合、前記ニュートラルギアからＬＯＷギアなどの他のギアへの移行を阻止するロック機構を有し、前記ニュートラルギアからの移行を不可能にする事によって車両の始動を不可能にする。また、前記車両始動装置４に前記緊急通報連絡手段２が接続されていることを示すステータスが入力した場合、前記ニュートラルギアからＬＯＷギアなどの他のギアへの移行を阻止するロック機構を、電磁石などを用いてニュートラルギアからの移行を可能にする事により車両の始動を可能にする。
【００５５】
（実施の形態１８）
第１８の実施の形態における本発明の緊急通報システムの実施の形態は、前記車両始動装置４に付加するプロテクト条件において、パーキングブレーキの解除を不可能にする。前記車両始動装置４に前記緊急通報連絡手段２が接続されていることを示すステータスが入力していない場合、前記パーキングブレーキの解除を阻止するロック機構を有し、前記パーキングブレーキの解除を不可能にする事によって車両の始動を不可能にする。また、前記車両始動装置４に前記緊急通報連絡手段２が接続されていることを示すステータスが入力した場合、前記パーキングギアの解除を阻止するロック機構を、電磁石などを用いて解除する事によって、前記パーキングブレーキの解除を可能にする事により車両の始動を可能にする。
【００５６】
（実施の形態１９）
図４は本発明の第１９の実施の形態における緊急通報システムの構成を示すブロック図である。図４において、緊急通報システムは、緊急通報システム端末機器１と、携帯電話などの緊急通報連絡手段２と、通信アンテナ３と、車両始動装置４と、緊急通報システム端末機器１などの前記緊急通報連絡手段２を接続するインターフェースを有する機器に前記緊急通報連絡手段２が接続されていない旨を、ブザー、ＬＥＤなどのユーザに情報を伝達する手段を有する情報伝達手段６とを備えている。
【００５７】
緊急通報システムなどに使用する無線通信などを用いた緊急通報連絡手段２の正常動作を確認し、前記緊急通報連絡手段２が正常に接続されていない場合、緊急通報システム端末機器１より前記緊急通報連絡手段２が接続されていない旨のステータスを出力する。前記ステータスより、前記緊急通報連絡手段２が接続されていない事を示すデータを受信した場合、前記情報伝達手段６は、前記接続されていない事を、ブザー、ＬＥＤなどを用いてユーザに情報を伝達する手段により、前記緊急通報連絡手段２が接続されていない事を伝達する。
【００５８】
（実施の形態２０）
第２０の実施の携帯における本発明の緊急通報システムは、図４を用いて説明する。エンジン始動時などの電源が通電された状態において、緊急通報システムなどに使用する無線通信などを用いた緊急通報連絡手段２の正常動作を確認し、前記緊急通報連絡手段２が正常に接続されていない場合、緊急通報システム端末機器１より前記緊急通報連絡手段２が接続されていない旨のステータスを出力する。前記ステータスより、前記緊急通報連絡手段２が接続されていない事を示すデータを受信した場合、前記情報伝達手段６は、エンジン始動時などの電源が通電された状態において、前記接続されていない事を、ブザー、ＬＥＤなどを用いてユーザに情報を伝達する手段により、前記緊急通報連絡手段２が接続されていない事を伝達する。
【００５９】
（実施の形態２１）
第２１の実施の形態における緊急通報システムは、情報伝達手段６を構成するランプ、ＬＥＤなどの照明機能を有する素子を用いて実現する。情報伝達手段６には、ユーザに伝達するための手段としてインジケータなどの照明を用いた素子を用い、緊急通報連絡手段２が正常に接続されていない場合、前記連絡手段２が接続されていない旨のステータスより、前記情報伝達手段６は、照明点灯を用いて、前記緊急通報連絡手段２が接続されていない事を伝達する。
【００６０】
（実施の形態２２）
第２２の実施の形態における本発明の緊急通報システムは、情報伝達手段６を構成するランプ、ＬＥＤなどの照明機能を有する素子を用いて実現する。情報伝達手段６には、ユーザに伝達するための手段としてインジケータなどの照明を用いた素子を用い、緊急通報連絡手段２が正常に接続されていない場合、前記連絡手段２が接続されていない旨のステータスより、前記情報伝達手段６は、照明点滅を用いて、前記緊急通報連絡手段２が接続されていない事を伝達する。
【００６１】
（実施の形態２３）
第２３の実施の形態における本発明の緊急通報システムは、情報伝達手段６を構成するＬＣＤなどの表示機能を有する素子を用いて実現する。情報伝達手段６には、ユーザに伝達するための手段としてＬＣＤなどの表示を用いた素子を用い、緊急通報連絡手段２が正常に接続されていない場合、前記緊急通報連絡手段２が接続されていない旨のステータスより、前記情報伝達手段６は、文字表示などを用いて、前記緊急通報連絡手段２が接続されていない事を伝達する。図５に表示の一例を記す。
【００６２】
（実施の形態２４）
第２４の実施の形態における本発明の緊急通報システムは、情報伝達手段６を構成するランプ、ＬＥＤなどの照明機能を、スピードメータなどの計器類が存在するインダッシュパネルに有する事によって実現する。情報伝達手段６には、ユーザに伝達するための手段としてインジケータなどの照明を用いた素子を用い、緊急通報連絡手段２が正常に接続されていない場合、前記連絡手段２が接続されていない旨のステータスより、インダッシュパネルに有する前記情報伝達手段６は、照明点滅を用いて、前記緊急通報連絡手段２が接続されていない事を伝達する。
【００６３】
（実施の形態２５）
第２５の実施の形態における本発明の緊急通報システムは、情報伝達手段６を構成するＬＣＤなどの表示機能を、スピードメータなどの計器類が存在するインダッシュパネルに有することによって実現する。情報伝達手段６には、ユーザに伝達するための手段としてＬＣＤなどの表示を用いた素子を用い、緊急通報連絡手段２が正常に接続されていない場合、前記緊急通報連絡手段２が接続されていない旨のステータスより、インダッシュパネルに有する前記情報伝達手段６は、文字表示などを用いて、前記緊急通報連絡手段２が接続されていない事を伝達する。
【００６４】
（実施の形態２６）
第２６の実施の形態における本発明の緊急通報システムは、情報伝達手段６を構成する音声合成などの音声を生成出力するＬＳＩなどの素子を用いて実現する。情報伝達手段６には、ユーザに伝達するための手段として音声合成音を生成する素子を用い、緊急通報連絡手段２が正常に接続されていない場合、前記緊急通報連絡手段２が接続されていない旨のステータスより、前記情報伝達手段６は、音声などを用いて、前記緊急通報連絡手段２が接続されていない事を伝達する。
【００６５】
（実施の形態２７）
第２７の実施の形態における本発明の緊急通報システムは、情報伝達手段６を構成するビープなどの単一周波数または複数の周波数を用いて音声を生成出力するブザーなどの素子を用いて実現する。情報伝達手段６には、ユーザに伝達するための手段として音声合成音を生成する素子を用い、緊急通報連絡手段２が正常に接続されていない場合、前記緊急通報連絡手段２が接続されていない旨のステータスより、前記情報伝達手段６は、ビープなどを用いて、前記緊急通報連絡手段２が接続されていない事を伝達する。
【００６６】
（実施の形態２８）
第２８の実施の形態における本発明の緊急通報システムは、図１を用いて説明する。図１において、緊急通報システムなどに使用する無線通信などを用いた緊急通報連絡手段２の正常動作を確認し、前記緊急通報連絡手段２が正常に接続されていない場合、緊急通報システム端末機器１の内部に有する制御部１２は、前記緊急通報システム端末機器１の内部に有する記憶部１５に前記緊急通報連絡手段２が接続されていない旨のデータを出力する。前記記憶部１５は、前記緊急通報連絡手段２が接続されていない旨のデータより、メモリなどの記憶素子に、前記緊急通報連絡手段２が接続されていない旨を情報として記録する。
【００６７】
（実施の形態２９）
第２９の実施の形態における本発明の緊急通報システムは、図４を用いて説明する。図４において、緊急通報システムなどに使用する無線通信などを用いた緊急通報連絡手段２の正常動作を確認し、前記緊急通報連絡手段２が正常に接続されていない場合、緊急通報システム端末機器１より前記緊急通報連絡手段２が接続されていない旨のステータスを出力する。前記ステータスより、前記緊急通報連絡手段２が接続されていない事を記すデータを受信した場合、前記情報伝達手段６は、前記接続されていない事を示すステータスよりブザー、ＬＥＤなどを用いてユーザに情報を伝達する手段により、前記連絡手段２が接続されていない事を伝達する。
【００６８】
更に緊急通報システム端末機器１の内部に有する制御部１２は、前記緊急通報システム端末機器１の内部に有する記憶部１５に前記緊急通報連絡手段２が接続されていない事によりユーザに情報を伝達した旨のデータを出力する。前記記憶部１５は、前記緊急通報連絡手段２が接続されていない事によりユーザに情報を伝達した旨のデータより、メモリなどの記憶素子に、前記緊急通報連絡手段２が接続されていない事によりユーザに情報を伝達した旨を情報として記録する。
【００６９】
（実施の形態３０）
図６は本発明の第３０の実施の形態における緊急通報システムの構成を示すブロック図である。図６において、この第３０実施の形態は、緊急通報連絡手段２が接続されていない旨、もしくは前記緊急通報連絡手段２が接続されていない事によりユーザに情報を伝達した旨を記録したデータを、外部インターフェースを用いて、緊急通報システム端末機器１に接続する外部接続機器に出力するために用いられるものであり、メンテナンスまたは故障履歴などのデータより、前記緊急通報システム端末機器１の動作状況を把握する目的などに用いられる。
【００７０】
次に、この第３０実施の形態の動作について説明する。図６において、緊急通報システムは、緊急通報システム端末機器１と、携帯電話などの緊急通報連絡手段２と、通信アンテナ３と、車両始動装置４と、情報伝達手段６と、前記緊急通報連絡手段２が接続されていない旨または前記緊急通報連絡手段２が接続されていない事によりユーザに情報を伝達した旨を、緊急通報システム端末機器１に接続する外部接続機器に出力するための外部機器接続インターフェース７とを備えている。
【００７１】
緊急通報システムなどに使用する無線通信などを用いた緊急通報連絡手段２の正常動作を確認し、前記緊急通報連絡手段２が正常に接続されていない場合、緊急通報システム端末機器１の内部に有する制御部１２は、前記緊急通報システム端末機器１の内部に有する記憶部１５に前記緊急通報連絡手段２が接続されていない旨、もしくは前記緊急通報連絡手段２が接続されていない事によりユーザに情報を伝達した旨のデータを出力する。前記記憶部１５は、前記緊急通報連絡手段２が接続されていない旨のデータより、メモリなどの記憶素子に、前記緊急通報連絡手段２が接続されていない旨または前記連絡手段２が接続されていない事によりユーザに情報を伝達した旨を情報として記録する。
【００７２】
更に、前記外部機器接続インターフェース７は、外部に接続された機器より、履歴データの要求を入力する。制御部１２は、前記外部機器接続インターフェース７を介して入力された履歴データの要求信号により、該当する履歴データを、記憶部１５に出力指示を行う。前記記憶部１５は、前記前記制御部１２からのデータ要求に対して、メモリなどの記憶素子に格納していた履歴データを前記制御部１２に出力する。前記制御部１２は、前記記憶部１５からのデータを、前記外部機器接続インターフェース７を介して、前記外部接続機器とある決められた同一のフォーマット信号を用いて出力する。
【００７３】
（実施の形態３１）
第３１の実施の形態における本発明の緊急通報システムは、緊急通報連絡手段２が接続されていない旨または前記緊急通報連絡手段２が接続されていない事によりユーザに情報を伝達した旨を記録したデータを、外部インターフェースを用いて、緊急通報システム端末機器１に接続する外部接続機器に出力する場合、前記緊急通報システム端末機器１と外部接続機器のインターフェース７の信号フォーマット信号について規定するものであり、データ信号のみで信号の伝達を可能とする非同期シリアル信号を用いて実現する。前記緊急通報システム端末機器１は、緊急通報連絡手段２が接続されていない旨、もしくは前記緊急通報連絡手段２が接続されていない事によりユーザに情報を伝達した旨のデータを前記非同期シリアル信号を用いて、前記外部機器接続インターフェース７を介して、前記外部機器接続インターフェース７に接続する外部機器に出力する。
【００７４】
（実施の形態３２）
第３２の実施の形態における本発明の緊急通報システムは、緊急通報連絡手段２が接続されていない旨または前記緊急通報連絡手段２が接続されていない事によりユーザに情報を伝達した旨を記録したデータを、外部インターフェースを用いて、緊急通報システム端末機器１に接続する外部接続機器に出力する場合、前記緊急通報システム端末機器１と外部接続機器のインターフェース７の信号フォーマット信号について規定するものであり、クロック、フレーム信号などを用いて同期したシリアル信号を用いて実現する。前記緊急通報システム端末機器１は、緊急通報連絡手段２が接続されていない旨、もしくは前記緊急通報連絡手段２が接続されていない事によりユーザに情報を伝達した旨のデータを前記同期シリアル信号を用いて、前記外部機器接続インターフェース７を介して、前記外部機器接続インターフェース７に接続する外部機器に出力する。
【００７５】
（実施の形態３３）
第３３の実施の形態における本発明の緊急通報システムの実施の形態は、緊急通報連絡手段２が接続されていない旨または前記緊急通報連絡手段２が接続されていない事によりユーザに情報を伝達した旨を記録したデータを、外部インターフェースを用いて、緊急通報システム端末機器１に接続する外部接続機器に出力する場合、前記緊急通報システム端末機器１と外部接続機器のインターフェースの信号フォーマット信号について規定するものであり、パラレル信号によりデータの送受信を行うバス通信信号を用いて実現する。前記緊急通報システム端末機器１は、緊急通報連絡手段２が接続されていない旨、もしくは前記緊急通報連絡手段２が接続されていない事によりユーザに情報を伝達した旨のデータを前記バス通信信号を用いて、前記外部機器接続インターフェース７を介して、前記外部機器接続インターフェース７に接続する外部機器に出力する。
【００７６】
（実施の形態３４）
第３４の実施の形態における本発明の緊急通報システムは、緊急通報連絡手段２が接続されていない旨または前記緊急通報連絡手段２が接続されていない事によりユーザに情報を伝達した旨を記録したデータを、外部インターフェースを用いて、緊急通報システム端末機器１に接続する外部接続機器に出力する場合、前記緊急通報システム端末機器１と外部接続機器のインターフェース７の信号フォーマット信号について規定するものであり、複数の接続機器を用いての通信を実現する、ＩＥ−ＢＵＳ方式、ＡＲＣＮＥＴ方式などのＬＡＮ信号を用いて実現する。前記緊急通報システム端末機器１は、緊急通報連絡手段２が接続されていない旨、もしくは前記緊急通報連絡手段２が接続されていない事によりユーザに情報を伝達した旨のデータを前記ＬＡＮ信号を用いて、前記外部機器接続インターフェース７を介して、前記外部機器接続インターフェース７に接続する外部機器に出力する。
【００７７】
（実施の形態３５）
第３５の実施の形態における本発明の緊急通報システムは、緊急通報連絡手段が接続されていない旨または前記緊急通報連絡手段２が接続されていない事によりユーザに情報を伝達した旨を記録したデータを、外部インターフェースを用いて、緊急通報システム端末機器１に、有線を用いる事なく外部に接続する、外部接続機器に出力する場合、前記緊急通報システム端末機器１と外部接続機器のインターフェースの信号方式について規定するものであり、有線を用いる事なくデータの送受信を可能とする赤外線信号を用いての通信を実現する。前記緊急通報システム端末機器１は、緊急通報連絡手段２が接続されていない旨、もしくは前記緊急通報連絡手段２が接続されていない事によりユーザに情報を伝達した旨のデータを前記赤外線信号を用いて、前記外部機器接続インターフェース７を介して、前記外部機器接続インターフェース７に接続する外部機器に出力する。
【００７８】
（実施の形態３６）
第３６の実施の形態における本発明の緊急通報システムは、緊急通報連絡手段２が接続されていない旨または前記緊急通報連絡手段２が接続されていない事によりユーザに情報を伝達した旨を記録したデータを、外部インターフェースを用いて、緊急通報システム端末機器１に、有線を用いる事なく外部に接続する、外部接続機器に出力する場合、前記緊急通報システム端末機器１と外部接続機器のインターフェースの信号方式について規定するものであり、有線を用いる事なくデータの送受信を可能とする電波による無線信号を用いての通信を実現する。前記緊急通報システム端末機器１は、緊急通報連絡手段２が接続されていない旨、もしくは前記緊急通報連絡手段２が接続されていない事によりユーザに情報を伝達した旨のデータを前記無線信号を用いて、前記外部機器接続インターフェース７を介して、前記外部機器接続インターフェース７に接続する外部機器に出力する。
【００７９】
（実施の形態３７）
第３７の実施の形態における本発明の緊急通報システムは、図４を用いて説明する。図４において、緊急通報システム端末機器１などの緊急通報連絡手段２を接続する事が可能な機器は、前記緊急通報連絡手段２の正常動作を確認し、前記緊急通報連絡手段２が、故障などにより正常に接続されている事を確認できない場合、緊急通報システム端末機器１より前記緊急通報連絡手段２が接続されていない旨のステータスを出力する。前記ステータスより、前記緊急通報連絡手段２が故障などにより正常に接続されている事を確認できない事を記すデータを受信した場合、前記情報伝達手段６は、故障などにより正常に接続されていることを確認できない事をブザー、ＬＥＤなどを用いてユーザに情報を伝達する手段により、前記緊急通報連絡手段２が接続されていない事を伝達する。
【００８０】
（実施の形態３８）
第３８の実施の形態における本発明の緊急通報システムは、図４を用いて説明する。図４において、エンジン始動時などの電源が通電された状態において、緊急通報システム端末機器１などの緊急通報連絡手段２を接続する事が可能な機器は、前記連絡手段２の正常動作を確認し、故障などにより正常に接続されている事を確認できない場合、緊急通報システム端末機器１より前記緊急通報連絡手段２が故障などにより正常に接続されている事を確認できない旨のステータスを出力する。前記ステータスより、前記緊急通報連絡手段２が故障などにより正常に接続されている事を確認できない事を示すデータを受信した場合、前記情報伝達手段６は、エンジン始動時などの電源が通電された状態において、前記故障などにより正常に接続されている事をブザー、ＬＥＤなどを用いてユーザに情報を伝達する手段により、前記緊急通報連絡手段２が接続されていない事を伝達する。
【００８１】
（実施の形態３９）
第３９の実施の形態における本発明の緊急通報システムは、情報伝達手段６を構成するランプ、ＬＥＤなどの照明機能を有する素子を用いて実現する。情報伝達手段６には、ユーザに伝達するための手段としてインジケータなどの照明を用いた素子を用い、緊急通報連絡手段２が故障などにより正常に接続されている事を確認できない場合、前記緊急通報連絡手段２が故障などにより正常に接続されている事を確認できない旨のステータスより、前記情報伝達手段６は、照明点灯を用いて、前記緊急通報連絡手段２が接続されていない事を伝達する。
【００８２】
（実施の形態４０）
第４０の実施の形態における本発明の緊急通報システムは、情報伝達手段６を構成するランプ、ＬＥＤなどの照明機能を有する素子を用いて実現する。情報伝達手段６には、ユーザに伝達するための手段としてインジケータなどの照明を用いた素子を用い、緊急通報連絡手段２が故障などにより正常に接続されている事を確認できない場合、前記緊急通報連絡手段２が故障などにより正常に接続されている事を確認できない旨のステータスより、前記情報伝達手段６は、照明点滅を用いて、前記緊急通報連絡手段２が接続されていない事を伝達する。
【００８３】
（実施の形態４１）
第４１の実施の形態における本発明の緊急通報システムは、情報伝達手段６を構成するＬＣＤなどの表示機能を有する素子を用いて実現する。情報伝達手段６には、ユーザに伝達するための手段としてＬＣＤなどの表示を用いた素子を用い、緊急通報連絡手段２が故障などにより正常に接続されている事を確認できない場合、前記緊急通報連絡手段２が故障などにより正常に接続されている事を確認できない旨のステータスより、前記情報伝達手段６は、文字表示などを用いて、前記緊急通報連絡手段２が故障などにより正常に接続されている事を確認できない事を伝達する。図７に表示の一例を記す。
【００８４】
（実施の形態４２）
第４２の実施の形態における本発明の緊急通報システムは、情報伝達手段６を構成するランプ、ＬＥＤなどの照明機能を、スピードメータなどの計器類が存在するインダッシュパネルに有する事によって実現する。情報伝達手段６には、ユーザに伝達するための手段としてインジケータなどの照明を用いた素子を用い、緊急通報連絡手段２が故障などにより正常に接続されている事を確認できない場合、前記緊急通報連絡手段２が故障などにより正常に接続されている事を確認できない旨のステータスより、インダッシュパネルに有する前記情報伝達手段６は、照明点滅を用いて、前記緊急通報連絡手段２が接続されていない事を伝達する。
【００８５】
（実施の形態４３）
第４３の実施の形態における本発明の緊急通報システムは、情報伝達手段６を構成するＬＣＤなどの表示機能を、スピードメータなどの計器類が存在するインダッシュパネルに有する事によって実現する。情報伝達手段６には、ユーザに伝達するための手段としてＬＣＤなどの表示を用いた素子を用い、緊急通報連絡手段２が故障などにより正常に接続されている事を確認できない場合、前記緊急通報連絡手段２が故障などにより正常に接続されている事を確認できない旨のステータスより、インダッシュパネルに有する前記情報伝達手段６は、文字表示などを用いて、前記緊急通報連絡手段２が接続されていない事を伝達する。
【００８６】
（実施の形態４４）
第４４の実施の形態における本発明の緊急通報システムは、情報伝達手段６を構成する音声合成などの音声を生成出力するＬＳＩなどの素子を用いて実現する。情報伝達手段６には、ユーザに伝達するための手段として音声合成音を生成する素子を用い、緊急通報連絡手段２が故障などにより正常に接続されている事を確認できない場合、前記緊急通報連絡手段２が接続されていない旨のステータスより、前記情報伝達手段６は、音声などを用いて、前記緊急通報連絡手段２が故障などにより正常に接続されている事を確認できない事を伝達する。
【００８７】
（実施の形態４５）
第４５の実施の形態における本発明の緊急通報システムは、情報伝達手段６を構成するビープなどの単一周波数または複数の周波数を用いて音声を生成出力するブザーなどの素子を用いて実現する。情報伝達手段６には、ユーザに伝達するための手段として音声合成音を生成する素子を用い、緊急通報連絡手段２が故障などにより正常に接続されている事を確認できない場合、前記緊急通報連絡手段２が故障などにより正常に接続されている事を確認できない旨のステータスより、前記情報伝達手段６は、ビープなどを用いて、前記連絡手段２が故障などにより正常に接続されている事を確認できない事を伝達する。
【００８８】
（実施の形態４６）
第４６の実施の形態における本発明の緊急通報システムは、図１を用いて説明する。図１において、緊急通報システム端末機器１などの緊急通報連絡手段２を接続する事が可能な機器は、緊急通報システムなどに使用する無線通信などを用いた緊急通報連絡手段２の正常動作を確認し、前記緊急通報連絡手段２が故障などにより正常に接続されている事を確認できない場合、緊急通報システム端末機器１の内部に有する制御部１２は、前記緊急通報システム端末機器１の内部に有する記憶部１５に前記緊急通報連絡手段２が故障などにより正常に接続されている事を確認できない旨のデータを出力する。前記記憶部１５は、前記緊急通報連絡手段２が故障などにより正常に接続されている事を確認できない旨のデータより、メモリなどの記憶素子に、前記緊急通報連絡手段２が故障などにより正常に接続されている事を確認できない旨を情報として記録する。
【００８９】
（実施の形態４７）
第４７の実施の形態における本発明の緊急通報システムは、図４を用いて説明する。図４において、緊急通報システム端末機器１などの緊急通報連絡手段２を接続する事が可能な機器は、緊急通報システムなどに使用する無線通信などを用いた緊急通報連絡手段２の正常動作を確認し、前記緊急通報連絡手段２が故障などにより正常に接続されている事を確認できない場合、緊急通報システム端末機器１より前記緊急通報連絡手段２が故障などにより正常に接続されている事を確認できない旨のステータスを出力する。前記ステータスより、前記緊急通報連絡手段２が故障などにより正常に接続されている事を確認できない事を示すデータを受信した場合、前記情報伝達手段６は、前記故障などにより正常に接続されている事を確認できない事を示すステータスよりブザー、ＬＥＤなどを用いてユーザに情報を伝達する手段により、前記緊急通報連絡手段２が故障などにより正常に接続されている事を確認できない事を伝達する。
【００９０】
更に緊急通報システム端末機器１の内部に有する制御部１２は、前記緊急通報システム端末機器１の内部に有する記憶部１５に前記緊急通報連絡手段２が故障などにより正常に接続されている事を確認できない事によりユーザに情報を伝達した旨のデータを出力する。前記記憶部１５は、前記緊急通報連絡手段２が故障などにより正常に接続されている事を確認できない事によりユーザに情報を伝達した旨のデータより、メモリなどの記憶素子に、前記緊急通報連絡手段２が故障などにより正常に接続されている事を確認できない事によりユーザに情報を伝達した旨を情報として記録する。
【００９１】
（実施の形態４８）
第４８の実施の形態における本発明の緊急通報システムは、図６を用いて説明する。図６において、この第４８実施の形態は、緊急通報連絡手段２が故障などにより正常に接続されている事を確認できない旨または故障などにより正常に接続されている事を確認できない事によりユーザに情報を伝達した旨を記録したデータを、外部インターフェースを用いて、緊急通報システム端末機器１に接続する外部接続機器に出力するために用いられるものであり、メンテナンスまたは故障履歴などのデータより、前記緊急通報システム端末機器１の動作状況を把握する目的など用いられる。
【００９２】
次に、この第４８の実施の形態の動作について説明する。図６において、緊急通報システム端末機器１などの緊急通報連絡手段２を接続する事が可能な機器は、緊急通報システムなどに使用する無線通信などを用いた緊急通報連絡手段２の正常動作を確認し、前記緊急通報連絡手段２が故障などにより正常に接続されている事を確認できない場合または故障などにより正常に接続されている事を確認できない事によりユーザに情報を伝達した場合、緊急通報システム端末機器１の内部に有する制御部１２は、前記緊急通報システム端末機器１の内部に有する記憶部１５に前記緊急通報連絡手段２が故障などにより正常に接続されている事を確認できない旨または故障などにより正常に接続されている事を確認できないことによりユーザに情報を伝達した旨のデータを出力する。前記記憶部１５は、前記緊急通報連絡手段２が故障などにより正常に接続されている事を確認できない旨または故障などにより正常に接続されている事を確認できないことによりユーザに情報を伝達した旨を情報として記録する。
【００９３】
更に、前記外部機器接続インターフェース７は、外部に接続された機器より、履歴データの要求を入力する。制御部１２は、前記外部機器接続インターフェース７を介して入力された履歴データの要求信号により、該当する履歴データを、前記記憶部１５に出力指示を行う。前記記憶部１５は、前記制御部１２からのデータ要求に対して、メモリなどの記憶素子に格納していた履歴データを前記制御部１２に出力する。前記制御部１２は、前記記憶部１５からのデータを、前記外部機器接続インターフェース７を介して、前記外部接続機器とある決められた同一のフォーマット信号を用いて出力する。
【００９４】
（実施の形態４９）
第４９の実施の形態における本発明の緊急通報システムは、前記緊急通報連絡手段２が故障などにより正常に接続されている事を確認できない旨または故障などにより正常に接続されている事を確認できないことによりユーザに情報を伝達した旨を記録したデータを、外部インターフェースを用いて、緊急通報システム端末機器１に接続する外部接続機器に出力する場合、前記緊急通報システム端末機器１と外部接続機器のインターフェースの信号フォーマット信号について規定するものであり、データ信号のみで信号の伝達を可能とする非同期シリアル信号を用いて実現する。前記緊急通報システム端末機器１は、緊急通報連絡手段２が故障などにより正常に接続されている事を確認できない旨または故障などにより正常に接続されている事を確認できないことによりユーザに情報を伝達した旨のデータを前記非同期シリアル信号を用いて、前記外部機器接続インターフェース７を介して、前記外部機器接続インターフェース７に接続する外部機器に出力する。
【００９５】
（実施の形態５０）
第５０の実施の形態における本発明の緊急通報システムは、前記緊急通報連絡手段２が故障などにより正常に接続されている事を確認できない旨または故障などにより正常に接続されている事を確認できないことによりユーザに情報を伝達した旨を記録したデータを、外部インターフェースを用いて、緊急通報システム端末機器１に接続する外部接続機器に出力する場合、前記緊急通報システム端末機器１と外部接続機器のインターフェースの信号フォーマット信号について規定するものであり、クロック、フレーム信号などを用いて同期したシリアル信号を用いて実現する。前記緊急通報システム端末機器１は、緊急通報連絡手段２が故障などにより正常に接続されている事を確認できない旨または故障などにより正常に接続されている事を確認できないことによりユーザに情報を伝達した旨を記録したデータを前記同期シリアル信号を用いて、前記外部機器接続インターフェース７を介して、前記外部機器接続インターフェース７に接続する外部機器に出力する。
【００９６】
（実施の形態５１）
第５１の実施の形態における本発明の緊急通報システムは、緊急通報連絡手段２が故障などにより正常に接続されている事を確認できない旨または故障などにより正常に接続されている事を確認できないことによりユーザに情報を伝達した旨を記録したデータを、外部インターフェースを用いて、緊急通報システム端末機器１に接続する外部接続機器に出力する場合、前記緊急通報システム端末機器１と外部接続機器のインターフェースの信号フォーマット信号について規定するものであり、パラレル信号によりデータの送受信を行うバス通信信号を用いて実現する。前記緊急通報システム端末機器１は、緊急通報連絡手段２が故障などにより正常に接続されている事を確認できない旨または故障などにより正常に接続されている事を確認できないことによりユーザに情報を伝達した旨のデータを前記バス通信信号を用いて、前記外部機器接続インターフェース７を介して、前記外部機器接続インターフェース７に接続する外部機器に出力する。
【００９７】
（実施の形態５２）
第５２の実施の形態における本発明の緊急通報システムは、緊急通報連絡手段２が故障などにより正常に接続されている事を確認できない旨または故障などにより正常に接続されている事を確認できないことによりユーザに情報を伝達した旨を記録したデータを、外部インターフェースを用いて、緊急通報システム端末機器１に接続する外部接続機器に出力する場合、前記緊急通報システム端末機器１と外部接続機器のインターフェースの信号フォーマット信号について規定するものであり、複数の接続機器を用いての通信を実現する、ＩＥ−ＢＵＳ方式、ＡＲＣＮＥＴ方式などのＬＡＮ信号を用いて実現する。前記緊急通報システム端末機器１は、緊急通報連絡手段２が故障などにより正常に接続されている事を確認できない旨または故障などにより正常に接続されている事を確認できないことによりユーザに情報を伝達した旨のデータを前記ＬＡＮ信号を用いて、前記外部機器接続インターフェース７を介して、前記外部機器接続インターフェース７に接続する外部機器に出力する。
【００９８】
（実施の形態５３）
第５３の実施の形態における本発明の緊急通報システムは、緊急通報連絡手段２が故障などにより正常に接続されている事を確認できない旨または故障などにより正常に接続されている事を確認できないことによりユーザに情報を伝達した旨を記録したデータを、外部インターフェースを用いて、緊急通報システム端末機器１に、有線を用いる事なく外部に接続する、外部接続機器に出力する場合、前記緊急通報システム端末機器１と外部接続機器のインターフェースの信号方式について規定するものであり、有線を用いる事なくデータの送受信を可能とする赤外線信号を用いての通信を実現する前記緊急通報システム端末機器１は、緊急通報連絡手段２が故障などにより正常に接続されている事を確認できない旨または故障などにより正常に接続されている事を確認できないことによりユーザに情報を伝達した旨のデータを前記赤外線信号を用いて、前記外部機器接続インターフェース７を介して、前記外部機器接続インターフェース７に接続する外部機器に出力する。
【００９９】
（実施の形態５４）
第５４の実施の形態における本発明の緊急通報システムは、緊急通報連絡手段２が故障などにより正常に接続されている事を確認できない旨または故障などにより正常に接続されている事を確認できないことによりユーザに情報を伝達した旨を記録したデータを、外部インターフェースを用いて、緊急通報システム端末機器１に、有線を用いる事なく外部に接続する、外部接続機器に出力する場合、前記緊急通報システム端末機器１と外部接続機器のインターフェースの信号方式について規定するものであり、有線を用いる事なくデータの送受信を可能とする電波による無線信号を用いての通信を実現する前記緊急通報システム端末機器１は、緊急通報連絡手段２が故障などにより正常に接続されている事を確認できない旨または故障などにより正常に接続されている事を確認できないことによりユーザに情報を伝達した旨のデータを前記無線信号を用いて、前記外部機器接続インターフェース７を介して、前記外部機器接続インターフェース７に接続する外部機器に出力する。
【０１００】
（実施の形態５５）
第５５の実施の形態における本発明の緊急通報システムは、図１を用いて説明する。図１において、車両始動装置４は、前記制御部１２より、前記緊急通報システム端末機器１に前記緊急通報連絡手段２が接続されている事を示すステータスを受信し、前記ステータスより、前記緊急通報連絡手段２が接続されていない場合、エンジン始動などの車両を始動させることを不可能すると共に、前記ステータスより、前記緊急通報連絡手段２が接続されている場合、エンジン始動などの車両を始動させることを可能とする。 そのため、車両を動作するための鍵の代用として緊急通報連絡手段２を用いる事により、前記緊急通報連絡手段２のみで車両の始動が可能になる。
【０１０１】
（実施の形態５６）
第５６の実施の形態における本発明の緊急通報システムは、図４を用いて説明する。図４において、緊急通報システム端末機器１などの緊急通報連絡手段２を接続する事が可能な機器は、前記緊急通報連絡手段２の正常動作を確認し、前記緊急通報連絡手段２が、外されたなどにより正常に接続されている事を確認できない場合、緊急通報システム端末機器１より前記緊急通報連絡手段２が接続されていない旨のステータスを出力する。前記ステータスより、前記緊急通報連絡手段２が外されたなどにより正常に接続されている事を確認できない事を示すデータを受信した場合、前記情報伝達手段６は、外されたなどにより正常に接続されていることを確認できない事をブザー、ＬＥＤなどを用いてユーザに情報を伝達する手段により、前記緊急通報連絡手段２が接続されていない事を伝達する。
【０１０２】
（実施の形態５７）
第５７の実施の形態における本発明の緊急通報システムは、図４を用いて説明する。図４において、エンジン始動時などの電源が通電された状態において、緊急通報システム端末機器１などの緊急通報連絡手段２を接続する事が可能な機器は、前記連絡手段２の正常動作を確認し、外されたなどにより正常に接続されている事を確認できない場合、緊急通報システム端末機器１より前記緊急通報連絡手段２が外されたなどにより正常に接続されている事を確認できない旨のデータを出力する。前記ステータスより、前記緊急通報連絡手段２が外されたなどにより正常に接続されている事を確認できない事を示すデータを受信した場合、前記情報伝達手段６は、エンジン始動時などの電源が通電された状態において、前記外されたなどにより正常に接続されている事をブザー、ＬＥＤなどを用いてユーザに情報を伝達する手段により、前記緊急通報連絡手段２が接続されていない事を伝達する。
【０１０３】
（実施の形態５８）
第５８の実施の形態における本発明の緊急通報システムは、情報伝達手段６を構成するランプ、ＬＥＤなどの照明機能を有する素子を用いて実現する。情報伝達手段６には、ユーザに伝達するための手段としてインジケータなどの照明を用いた素子を用い、緊急通報連絡手段２が外されたなどにより正常に接続されている事を確認できない場合、前記緊急通報連絡手段２が外されたなどにより正常に接続されている事を確認できない旨のステータスより、前記情報伝達手段６は、照明点灯を用いて、前記緊急通報連絡手段２が正常に接続されていない事を伝達する。
【０１０４】
（実施の形態５９）
第５９の実施の形態における本発明の緊急通報システムは、情報伝達手段６を構成するランプ、ＬＥＤなどの照明機能を有する素子を用いて実現する。情報伝達手段６には、ユーザに伝達するための手段としてインジケータなどの照明を用いた素子を用い、緊急通報連絡手段２が外されたなどにより正常に接続されている事を確認できない場合、前記緊急通報連絡手段２が外されたなどにより正常に接続されている事を確認できない旨のステータスより、前記情報伝達手段６は、照明点滅を用いて、前記緊急通報連絡手段２が正常に接続されていない事を伝達する。
【０１０５】
（実施の形態６０）
第６０の実施の形態における本発明の緊急通報システムは、情報伝達手段６を構成するＬＣＤなどの表示機能を有する素子を用いて実現する。情報伝達手段６には、ユーザに伝達するための手段としてＬＣＤなどの表示を用いた素子を用い、緊急通報連絡手段２が外されたなどにより正常に接続されている事を確認できない場合、前記緊急通報連絡手段２が外されたなどにより正常に接続されている事を確認できない旨のステータスより、前記情報伝達手段６は、文字表示などを用いて、前記緊急通報連絡手段２が外されたなどにより正常に接続されている事を確認できない事を伝達する。図７に表示の一例を記す。
【０１０６】
（実施の形態６１）
第６１の実施の形態における本発明の緊急通報システムは、情報伝達手段６を構成するランプ、ＬＥＤなどの照明機能を、スピードメータなどの計器類が存在するインダッシュパネルに有する事によって実現する。情報伝達手段６には、ユーザに伝達するための手段としてインジケータなどの照明を用いた素子を用い、緊急通報連絡手段２が外されたなどにより正常に接続されている事を確認できない場合、前記緊急通報連絡手段２が外されたなどにより正常に接続されている事を確認できない旨のステータスより、インダッシュパネルに有する前記情報伝達手段６は、照明点滅を用いて、前記緊急通報連絡手段２が接続されていない事を伝達する。
【０１０７】
（実施の形態６２）
第６２の実施の形態における本発明の緊急通報システムは、情報伝達手段６を構成するＬＣＤなどの表示機能を、スピードメータなどの計器類が存在するインダッシュパネルに有する事によって実現する。情報伝達手段６には、ユーザに伝達するための手段としてＬＣＤなどの表示を用いた素子を用い、緊急通報連絡手段２が外されたなどにより正常に接続されている事を確認できない場合、前記緊急通報連絡手段２が外されたなどにより正常に接続されている事を確認できない旨のステータスより、インダッシュパネルに有する前記情報伝達手段６は、文字表示などを用いて、前記緊急通報連絡手段２が接続されていない事を伝達する。
【０１０８】
（実施の形態６３）
第６３の実施の形態における本発明の緊急通報システムは、情報伝達手段６を構成するビープなどの単一周波数または複数の周波数を用いて音声を生成出力するブザーなどの素子を用いて実現する。情報伝達手段６には、ユーザに伝達するための手段として音声合成音を生成する素子を用い、緊急通報連絡手段２が外されたなどにより正常に接続されている事を確認できない場合、前記緊急通報連絡手段２が外されたなどにより正常に接続されている事を確認できない旨のステータスより、前記情報伝達手段６は、ビープなどを用いて、前記緊急通報連絡手段２が外されたなどにより正常に接続されている事を確認できない事を伝達する。
【０１０９】
（実施の形態６４）
第６４の実施の形態における本発明の緊急通報システムは、情報伝達手段６を構成する音声合成などの音声を生成出力するＬＳＩなどの素子を用いて実現する。情報伝達手段６には、ユーザに伝達するための手段として音声合成音を生成する素子を用い、緊急通報連絡手段２が外されたなどにより正常に接続されている事を確認できない場合、前記緊急通報連絡手段２が接続されていない旨のステータスより、前記情報伝達手段６は、音声などを用いて、前記緊急通報連絡手段２が外されたなどにより正常に接続されている事を確認できない事を伝達する。
【０１１０】
（実施の形態６５）
第６５の実施の形態における本発明の緊急通報システムは、図１を用いて説明する。図４において、緊急通報システム端末機器１などの緊急通報連絡手段２を接続する事が可能な機器は、緊急通報システムなどに使用する無線通信などを用いた緊急通報連絡手段２の正常動作を確認し、前記緊急通報連絡手段２が外されたなどにより正常に接続されている事を確認できない場合、緊急通報システム端末機器１の内部に有する制御部１２は、前記緊急通報システム端末機器１の内部に有する記憶部１５に前記連絡手段２が外されたなどにより正常に接続されている事を確認できない旨のデータを出力する。前記記憶部１５は、前記緊急通報連絡手段２が外されたなどにより正常に接続されている事を確認できない旨のデータより、メモリなどの記憶素子に、前記緊急通報連絡手段２が外されたなどにより正常に接続されている事を確認できない旨を情報として記録する。
【０１１１】
（実施の形態６６）
第６６の実施の形態における本発明の緊急通報システムは、図４を用いて説明する。図４において、緊急通報システム端末機器１などの緊急通報連絡手段２を接続する事が可能な機器は、緊急通報システムなどに使用する無線通信などを用いた緊急通報連絡手段２の正常動作を確認し、前記緊急通報連絡手段２が外されたなどにより正常に接続されている事を確認できない場合、緊急通報システム端末機器１より前記緊急通報連絡手段２が外されたなどにより正常に接続されている事を確認できない旨のデータを出力する。前記ステータスより、前記緊急通報連絡手段２が外されたなどにより正常に接続されている事を確認できない事を示すデータを受信した場合、前記情報伝達手段６は、前記緊急通報連絡手段２が外されたなどにより正常に接続されている事を確認できない事を示すステータスよりブザー、ＬＥＤなどを用いてユーザに情報を伝達する手段により、前記緊急通報連絡手段２が外されたなどにより正常に接続されている事を確認できない事を伝達する。
【０１１２】
更に緊急通報システム端末機器１の内部に有する制御部１２は、前記緊急通報システム端末機器１の内部に有する記憶部１５に前記緊急通報連絡手段２が外されたなどにより正常に接続されている事を確認できない事によりユーザに情報を伝達した旨のデータを出力する。前記記憶部１５は、前記緊急通報連絡手段２が外されたなどにより正常に接続されている事を確認できない事によりユーザに情報を伝達した旨のデータより、メモリなどの記憶素子に、前記緊急通報連絡手段２が故障などにより正常に接続されている事を確認できない事によりユーザに情報を伝達した旨を情報として記録する。
【０１１３】
（実施の形態６７）
第６７の実施の形態における本発明の緊急通報システムは、図６を用いて説明する。図６において、この第６７の実施の形態は、緊急通報連絡手段２が外されたなどにより正常に接続されている事を確認できない旨または外されたなどにより正常に接続されている事を確認できない事によりユーザに情報を伝達した旨を記録したデータを、外部インターフェースを用いて、緊急通報システム端末機器１に接続する外部接続機器に出力するために用いられるものであり、メンテナンスまたは故障、外された履歴などのデータより、前記緊急通報システム端末機器１の動作状況を把握する目的などに用いられる。
【０１１４】
次に、この第６７の実施の形態の動作について説明する。図６において、緊急通報システム端末機器１などの緊急通報連絡手段２を接続する事が可能な機器は、緊急通報システムなどに使用する無線通信などを用いた緊急通報連絡手段２の正常動作を確認し、前記緊急通報連絡手段２が外されたなどにより正常に接続されている事を確認できない場合または外されたなどにより正常に接続されている事を確認できない事によりユーザに情報を伝達した場合、緊急通報システム端末機器１の内部に有する制御部１２は、前記緊急通報システム端末機器１の内部に有する記憶部１５に前記緊急通報連絡手段２が外されたなどにより正常に接続されている事を確認できない旨または外されたなどにより正常に接続されている事を確認できないことによりユーザに情報を伝達した旨のデータを出力する。前記記憶部１５は、前記緊急通報連絡手段２が外されたなどにより正常に接続されている事を確認できない旨または外されたなどにより正常に接続されている事を確認できないことによりユーザに情報を伝達した旨を情報として記録する。
【０１１５】
更に、前記外部機器接続インターフェース７は、外部に接続された機器より、履歴データの要求を入力する。制御部１２は、前記外部機器接続インターフェース７を介して入力された履歴データの要求信号により、該当する履歴データを、前記記憶部１５に出力指示を行う。前記記憶部１５は、前記制御部１２からのデータ要求に対して、メモリなどの記憶素子に格納していた履歴データを前記制御部１２に出力する。前記制御部１２は、前記記憶部１５からのデータを、前記外部機器接続インターフェース７を介して、前記外部接続機器と決められた同一のフォーマット信号を用いて出力する。
【０１１６】
（実施の形態６８）
第６８の実施の形態における発明の緊急通報システムは、前記緊急通報連絡手段２が外されたなどにより正常に接続されている事を確認できない旨、もしくは外されたなどにより正常に接続されている事を確認できないことによりユーザに情報を伝達した旨を記録したデータを、外部インターフェースを用いて、緊急通報システム端末機器１に接続する外部接続機器に出力する場合、前記緊急通報システム端末機器１と外部接続機器のインターフェースの信号フォーマット信号について規定するものであり、データ信号のみで信号の伝達を可能とする非同期シリアル信号を用いて実現する。前記緊急通報システム端末機器１は、緊急通報連絡手段２が外されたなどにより正常に接続されている事を確認できない旨または外されたなどにより正常に接続されている事を確認できないことによりユーザに情報を伝達した旨のデータを前記非同期シリアル信号を用いて、前記外部機器接続インターフェース７を介して、前記外部機器接続インターフェース７に接続する外部機器に出力する。
【０１１７】
（実施の形態６９）
第６９の実施の形態における本発明の緊急通報システムは、前記緊急通報連絡手段２が外されたなどにより正常に接続されている事を確認できない旨、もしくは外されたなどにより正常に接続されている事を確認できないことによりユーザに情報を伝達した旨を記録したデータを、外部インターフェースを用いて、緊急通報システム端末機器１に接続する外部接続機器に出力する場合、前記緊急通報システム端末機器１と外部接続機器のインターフェースの信号フォーマット信号について規定するものであり、クロック、フレーム信号などを用いて同期したシリアル信号を用いて実現する。前記緊急通報システム端末機器１は、緊急通報連絡手段２が外されたなどにより正常に接続されている事を確認できない旨または外されたなどにより正常に接続されている事を確認できないことによりユーザに情報を伝達した旨を記録したデータを前記同期シリアル信号を用いて、前記外部機器接続インターフェース７を介して、前記外部機器接続インターフェース７に接続する外部機器に出力する。
【０１１８】
（実施の形態７０）
第７０の実施の形態における本発明の緊急通報システムは、緊急通報連絡手段２が外されたなどにより正常に接続されている事を確認できない旨または外されたなどにより正常に接続されている事を確認できないことによりユーザに情報を伝達した旨を記録したデータを、外部インターフェースを用いて、緊急通報システム端末機器１に接続する外部接続機器に出力する場合、前記緊急通報システム端末機器１と外部接続機器のインターフェースの信号フォーマット信号について規定するものであり、パラレル信号によりデータの送受信を行うバス通信信号を用いて実現する。前記緊急通報システム端末機器１は、緊急通報連絡手段２が外されたなどにより正常に接続されている事を確認できない旨または外されたなどにより正常に接続されている事を確認できないことによりユーザに情報を伝達した旨のデータを前記バス通信信号を用いて、前記外部機器接続インターフェース７を介して、前記外部機器接続インターフェース７に接続する外部機器に出力する。
【０１１９】
（実施の形態７１）
第７１の実施の形態における本発明の緊急通報システムは、緊急通報連絡手段２が外されたなどにより正常に接続されている事を確認できない旨または外されたなどにより正常に接続されている事を確認できないことによりユーザに情報を伝達した旨を記録したデータを、外部インターフェースを用いて、緊急通報システム端末機器１に接続する外部接続機器に出力する場合、前記緊急通報システム端末機器１と外部接続機器のインターフェースの信号フォーマット信号について規定するものであり、複数の接続機器を用いての通信を実現する、ＩＥ−ＢＵＳ方式、ＡＲＣＮＥＴ方式などのＬＡＮ信号を用いて実現する。前記緊急通報システム端末機器１は、緊急通報連絡手段２が外されたなどにより正常に接続されている事を確認できない旨または外されたなどにより正常に接続されている事を確認できないことによりユーザに情報を伝達した旨のデータを前記ＬＡＮ信号を用いて、前記外部機器接続インターフェース７を介して、前記外部機器接続インターフェース７に接続する外部機器に出力する。
【０１２０】
（実施の形態７２）
第７２の実施の形態における本発明の緊急通報システムは、緊急通報連絡手段２が外されたなどにより正常に接続されている事を確認できない旨または外されたなどにより正常に接続されている事を確認できないことによりユーザに情報を伝達した旨を記録したデータを、外部インターフェースを用いて、緊急通報システム端末機器１に、有線を用いる事なく外部に接続する、外部接続機器に出力する場合、前記緊急通報システム端末機器１と外部接続機器のインターフェースの信号方式について規定するものであり、有線を用いる事なくデータの送受信を可能とする赤外線信号を用いての通信を実現する。前記緊急通報システム端末機器１は、緊急通報連絡手段２が外されたなどにより正常に接続されている事を確認できない旨または外されたなどにより正常に接続されている事を確認できないことによりユーザに情報を伝達した旨のデータを前記赤外線信号を用いて、前記外部機器接続インターフェース７を介して、前記外部機器接続インターフェース７に接続する外部機器に出力する。
【０１２１】
（実施の形態７３）
第７３の実施の形態における本発明の緊急通報システムは、緊急通報連絡手段２が外されたなどにより正常に接続されている事を確認できない旨または外されたなどにより正常に接続されている事を確認できないことによりユーザに情報を伝達した旨を記録したデータを、外部インターフェースを用いて、緊急通報システム端末機器１に、有線を用いる事なく外部に接続する、外部接続機器に出力する場合、前記緊急通報システム端末機器１と外部接続機器のインターフェースの信号方式について規定するものであり、有線を用いる事なくデータの送受信を可能とする電波による無線信号を用いての通信を実現する。前記緊急通報システム端末機器１は、緊急通報連絡手段２が外されたなどにより正常に接続されている事を確認できない旨または外されたなどにより正常に接続されている事を確認できないことによりユーザに情報を伝達した旨のデータを前記無線信号を用いて、前記外部機器接続インターフェース７を介して、前記外部機器接続インターフェース７に接続する外部機器に出力する。
【０１２２】
【発明の効果】
本発明は、以上の説明から明らかなように、緊急通報システムなどに使用する無線通信などを用いた緊急通報連絡手段の正常動作を確認し、車両の進行を可能とすることによって、車両走行時の緊急通報連絡手段２を確実に確保することが可能になる。
【図面の簡単な説明】
【図１】本発明の第１の実施の形態その他における緊急通報システムの構成を示すブロック図
【図２】本発明の第２の実施の形態その他における緊急通報システムの構成を示すブロック図
【図３】第１４の実施の形態その他における本発明の緊急通報システムの実施の形態その他の構成を示す機構図
【図４】第１９の実施の形態その他における本発明の緊急通報システムの実施の形態その他の構成を示すブロック図
【図５】第２３の実施の形態その他における本発明の緊急通報システムの表示例を示す模式図
【図６】第３０の実施の形態その他における本発明の緊急通報システムの実施の形態その他の構成を示すブロック図
【図７】第４１の実施の形態その他における本発明の緊急通報システムの表示例を示す模式図
【符号の説明】
１ 緊急通報システム端末機器
２ 緊急通報連絡手段
３ 通信アンテナ
４ 車両始動装置
５ 車両
６ 情報伝達手段
７ 外部機器接続インターフェース
１１ 緊急通報発信釦
１２ 制御部
１３ ジャイロセンサ
１４ 位置情報取得処理部
１５ 記憶部
１６ ＧＰＳアンテナ
１７ ＧＰＳ受信機
【図１】
0004043748.tif 000002
【図２】
0004043748.tif 000003
【図３】
0004043748.tif 000004
【図４】
0004043748.tif 000005
【図５】
0004043748.tif 000006
【図６】
0004043748.tif 000007
【図７】
0004043748.tif 000008